(57)【要約】【課題】よりコストの安いドライバー回転アシストアダプターを提供すること。【解決手段】手の平に当接される把持部１と、把持部１に回転可能に取り付けられた軸２と、軸２に取り付けられた固定部４と、固定部４の先端に設けられ、ドライバーチップ７を、取り外し可能に軸２の延伸方向に装着する装着部１０と、固定部４の周囲に設けられ、ドライバーチップ７を回転させる際に、指を掛ける突起部５とを備え、装着部１０は、ドライバーチップ７の一部を挿入するための凹部４３と、凹部４３の内壁面に設けられたネジ穴４４と、ネジ穴４４に螺合し、凹部４３に挿入されたドライバーチップ７の一部を固定するボルト８とを有する、ドライバー回転アシストアダプター。【選択図】図１
2011255487.tif 000002
【特許請求の範囲】
【請求項１】
手の平に当接される把持部と、
前記把持部に回転可能に取り付けられた軸と、
前記軸に取り付けられた固定部と、
前記固定部の先端に設けられ、ドライバー部材を、取り外し可能に前記軸の延伸方向に装着する装着部と、
前記固定部の周囲に設けられ、前記ドライバー部材を回転させる際に、指を掛ける突起部とを備え、
前記装着部は、
前記ドライバー部材の一部を挿入するための凹部と、
前記凹部の内壁面に設けられたネジ穴と、
前記ネジ穴に螺合し、前記凹部に挿入された前記ドライバー部材の一部を固定するネジとを有する、ドライバー回転アシストアダプター。
【請求項２】
前記凹部及び前記ネジ穴は、前記固定部の先端に形成されており、前記固定部及び前記突起部は、樹脂によって一体的に形成されている、請求項１記載のドライバー回転アシストアダプター。
【請求項３】
前記突起部は、前記固定部の中央から先端に向かって形成され、
前記固定部は、
その後端部分に設けられた、前記ドライバー部材を回転させる際に、指でつまむためのつまみ部を有し、
前記つまみ部は、前記軸と垂直な方向の断面形状が多角形である、請求項１記載のドライバー回転アシストアダプター。
【請求項４】
請求項１記載のドライバー回転アシストアダプターの前記凹部に挿入され、前記ドライバー部材の装着を補助する装着補助具であって、
前記ドライバー部材の一部を挿入するための挿入部と、
前記挿入部の内壁面を貫通して設けられた貫通孔とを備え、
前記貫通孔と前記ネジ孔は同軸で連通されており、
前記ドライバーチップは、前記貫通孔を通して前記ネジによって前記挿入部に固定される、装着補助具。
【発明の詳細な説明】
【技術分野】
【０００１】  本発明は、ドライバーの回転をアシストする工具であるドライバー回転アシストアダプター、及びそれに用いるドライバー装着補助部材に関する。
【背景技術】
【０００２】  従来、例えば、特許文献１に示すようなドライバーの回転をアシストするアダプターが知られている。【０００３】  このアダプターは、ドライバーを抵抗なく回転出来るように、手の平に当てられ把持される把持部と、その把持部に回転可能に取り付けられた軸と、その軸に固定され、指が引っかけられる、十字型のＵ字クリップとを備えている。【０００４】  使用の際には、ドライバーは、その柄の後端部分の穴が軸に差し入れられ、その柄がＵ字クリップの２箇所の屈曲部に挟み込まれて装着される。このＵ字クリップの２箇所の屈曲部は、ドライバーの回転方向の力に対応し、ドライバーの抜防止をする役割を有している。【０００５】  そして、把持部を手の平に当てながら、指でＵ字クリップを回転させる。その結果、ドライバーは回転する。【０００６】  十文字型Ｕ字クリップはドライバーの柄の部分より太いので、より小さな力でドライバーを回転できる優れた効果を発揮する。
【先行技術文献】
【特許文献】
【０００７】
【特許文献１】国際公開２００９／００４９１０号パンフレット
【発明の概要】
【発明が解決しようとする課題】
【０００８】  しかしながら、上記従来のドライバー回転アシストアダプターでは、複雑な形状を有するＵ字クリップを作成する必要があり、また部品点数が多いためコストがかかっていた。【０００９】  本発明は、上記従来のドライバー回転アシストアダプターの課題を考慮し、よりコストの安いドライバー回転アシストアダプター及びそれに用いる装着補助具を提供することを目的とする。
【課題を解決するための手段】
【００１０】  上記目的を達成するために、第１の本発明は、
手の平に当接される把持部と、
前記把持部に回転可能に取り付けられた軸と、
前記軸に取り付けられた固定部と、
前記固定部の先端に設けられ、ドライバー部材を、取り外し可能に前記軸の延伸方向に装着する装着部と、
前記固定部の周囲に設けられ、前記ドライバー部材を回転させる際に、指を掛ける突起部とを備え、
前記装着部は、
前記ドライバー部材の一部を挿入するための凹部と、
前記凹部の内壁面に設けられたネジ穴と、
前記ネジ穴に螺合し、前記凹部に挿入された前記ドライバー部材の一部を固定するネジとを有する、ドライバー回転アシストアダプターである。【００１１】  又、第２の本発明は、
前記凹部及び前記ネジ穴は、前記固定部の先端に形成されており、前記固定部及び前記突起部は、樹脂によって一体的に形成されている、第１の本発明のドライバー回転アシストアダプターである。【００１２】  又、第３の本発明は、
前記突起部は、前記固定部の中央から先端に向かって形成され、
前記固定部は、
その後端部分に設けられた、前記ドライバー部材を回転させる際に、指でつまむためのつまみ部を有し、
前記つまみ部は、前記軸と垂直な方向の断面形状が多角形である、第１の本発明のドライバー回転アシストアダプターである。【００１３】  又、第４の本発明は、
第１の本発明のドライバー回転アシストアダプターの前記凹部に挿入され、前記ドライバー部材の装着を補助する装着補助具であって、
前記ドライバー部材の一部を挿入するための挿入部と、
前記挿入部の内壁面を貫通して設けられた貫通孔とを備え、
前記貫通孔と前記ネジ孔は同軸で連通されており、
前記ドライバーチップは、前記貫通孔を通して前記ネジによって前記挿入部に固定される、装着補助具である。
【発明の効果】
【００１４】  本発明によれば、よりコストの安いドライバー回転アシストアダプター及びそれに用いる装着補助具を提供することが出来る。
【図面の簡単な説明】
【００１５】
【図１】本発明にかかる実施の形態１におけるドライバー回転アシストアダプターの斜視構成図
【図２】（ａ）本発明にかかる実施の形態１における軸ドライバー間接続部の正面構成図、（ｂ）本発明にかかる実施の形態１における軸ドライバー間接続部の上面構成図、（ｃ）本発明にかかる実施の形態１における軸ドライバー間接続部の底面構成図、（ｄ）本発明にかかる実施の形態１における軸ドライバー間接続部の側面構成図
【図３】（ａ）本発明にかかる実施の形態１におけるドライバー回転アシストアダプターの軸の正面構成図、（ｂ）本発明にかかる実施の形態１におけるドライバー回転アシストアダプターの軸の側面構成図、（ｃ）本発明にかかる実施の形態１におけるドライバー回転アシストアダプターの軸近傍の構成図
【図４（ａ）】本発明にかかる実施の形態１におけるドライバー回転アシストアダプターの斜視構成図
【図４（ｂ）】本発明にかかる実施の形態１におけるドライバー回転アシストアダプターの部分拡大構成図
【図５】本発明にかかる実施の形態２におけるドライバー回転アシストアダプターの斜視構成図
【図６】（ａ）本発明にかかる実施の形態２における軸ドライバー間接続部の正面構成図、（ｂ）本発明にかかる実施の形態２における軸ドライバー間接続部の上面構成図、（ｃ）本発明にかかる実施の形態２における軸ドライバー間接続部の底面構成図、（ｄ）本発明にかかる実施の形態２における軸ドライバー間接続部の側面構成図
【図７】（ａ）本発明にかかる実施の形態２における装着補助具の斜視構成図、（ｂ）本発明にかかる実施の形態２における装着補助具の平面構成図
【図８（ａ）】本発明にかかる実施の形態２における装着補助具を用いたドライバー回転アシストアダプターの斜視構成図
【図８（ｂ）】図８（ａ）の部分拡大構成図
【図９】本発明にかかる実施例１におけるドライバー回転アシストアダプターの斜視構成図
【図１０】本発明にかかる実施の形態２の変形例におけるドライバー回転アシストアダプターの斜視構成図
【図１１】本発明にかかる実施の形態２の変形例におけるドライバー回転アシストアダプターの斜視構成図
【図１２】本発明にかかる実施の形態１の変形例における軸ドライバー間接続部の正面構成図
【発明を実施するための形態】
【００１６】  以下に、本発明にかかる実施の形態について説明する。
【００１７】  （実施の形態１）
以下に、本発明にかかる実施の形態１のドライバー回転アシストアダプターについて説明する。図１は、本実施の形態１のドライバー回転アシストアダプターを示す斜視構成図である。
【００１８】  図１に示すように、本実施の形態１のドライバー回転アシストアダプターには、手の平に当接し、手によって包み込まれる把持部１と、把持部１に回転自在に連結された軸２が設けられている。また、軸２には、軸ドライバー間接続部３が固定されており、軸ドライバー間接続部３の先端には、ドライバーチップ７が装着されている。
【００１９】  図２（ａ）、図２（ｂ）、図２（ｃ）及び図２（ｄ）は、それぞれ軸ドライバー間接続部３の正面構成図、平面構成図、底面構成図、及び側面構成図である。
【００２０】  この軸ドライバー間接続部３は、軸２に固定される正八角柱形状の固定部４と、固定部４の側面に形成された複数の突起部５を有している。この固定部４の図１中上側の端４ａには、その端面の中央に軸２が挿入される孔４０が形成されており、孔４０の下端側には、孔４０より径の小さい孔４０ａが形成されている。更に、軸ドライバー間接続部３の側面から孔４０の内壁面まで貫通してネジ孔４１が形成されている。
【００２１】  図３（ａ）、及び図３（ｂ）は、軸２の正面構成図及び側面構成図であり、図３（ｃ）は、把持部１と軸２と軸ドライバー接続部３の接続を示した構成図である。図３（ａ）、（ｂ）に示すように、軸２には、貫通孔２１とネジ孔２２が設けられている。また、軸２の貫通孔２１側の端には、径が細い先端部２ａが形成されている。図３（ｃ）に示すように、この軸２が孔４０に挿入されるが、この際、軸２の先端部２ａが孔４０ａに挿入されることになる。そして、軸２の貫通孔２１にネジ孔４１を介してネジ６が挿入されることによって、軸２と軸ドライバー接続部３が固定される。尚、軸２に貫通孔２１を設けずに、その側面をネジ６の先端によって押圧されることによって固定されてもよいし、その側面にネジ６の先端に対応する凹みが設けられており、この凹みにネジ６の先端が嵌合することによって固定されてもよい。また、軸２に先端部２ａが形成されていなくてもよく、その場合、孔４０ａが形成されていなくてもよい。
【００２２】  一方、把持部１の中央には中央空間１ａが形成されており、軸２の先端部２ａと反対側の端１ｂが中央空間１ａを通して把持部１に挿入されている。また、中央空間１ａ内に配置された軸２の部分のネジ孔２２にネジ１１を挿入することにより、軸２は把持部１から抜けることが防止され、把持部１に回転可能に取り付けられる。図３（ｃ）に示すように、ネジ１１は、使用する際、把持部１に触れないような位置に設けられており、使用する際に回転抵抗が増加しないような構成となっている。尚、この連結の仕方は任意であり、公知の手法を用いてもよく、例えば、ベアリングなどを用いることが出来る。
【００２３】  一方、固定部４の端４ａの反対側の端４ｂには、ドライバーチップ７を挿入するための凹部４３が設けられている。ドライバーチップ７の後端部分７ａの断面形状は六角柱状であり、それに対応するように凹部４３も、その内側空間が六角柱形状になるように形成されている。更に、固定部４の側面から凹部４３の内壁面まで貫通して２つのネジ孔４４が設けられている。これら２つのネジ孔４４は、対向して形成されており、凹部４３の対向する内壁面に対して垂直に設けられている。そして、それぞれのネジ孔４４と螺合したネジ８が設けられており、２つのネジ８によって挟まれてドライバーチップ７は凹部４３内で固定される。この凹部４３にドライバーチップ７の後端部分７ａが挿入され、２つのネジ孔４４を通して挿入された２つのネジ８の先端の平面部分８ａ（後述する図４（ｂ）参照）によって挟み込まれてドライバーチップ７は固定される。尚、これら凹部４３及びネジ孔４４、及びネジ４５によって、ドライバーチップ７を着脱自在に装着するための装着部１０が構成されている（図１参照）。
【００２４】  上記突起部５は、図２（ａ）〜（ｄ）に示すように八角柱形状の固定部４の側面に一面おきに側面に対して垂直に形成されており、合計４つ形成されている。図２（ａ）に示すように、４つの突起部５は平面視十字形状に配置されている。この突起部５は、本発明の後端の一例に相当する端４ａから所定の距離をおいて軸２の延伸方向に沿って形成されている。この所定の距離に相当する、突起部５が形成されていない固定部４の端４ａの近傍部分は、ドライバーを回転させる際に指でつまむことが出来るつまみ部９を構成する。
【００２５】  更に、複数の突起部５は、対向する２つの突起部５１、５２の組と、対向する２つの突起部５３、５４の組であり、一方の組の突起部５１、５２は、固定部４の端４ｂまで形成されているが、他方の組の突起部５３、５４は端４ｂまで形成されていない。この突起部５３、５４の端４ｂ側には上述したネジ孔４４が形成されており、ネジ８が配置されている。尚、少なくともドライバーチップ７を固定した状態では、ネジ８は突起部５１、５２に比べて低くなっており、突起部５１、５２よりも突出していない。尚、本発明の先端の一例は、端４ｂに相当する。
【００２６】  尚、上記固定部４及び突起部５は樹脂によって一体的に形成されている。この形成方法としては、切削が用いられてもよいし、型による成形が用いられても良い。
【００２７】  次に、本実施の形態１のドライバー回転アシストアダプターの使用方法について説明する。図４（ａ）は、ドライバーチップ７を装着した状態のドライバー回転アシストアダプターの斜視構成図であり、図４（ｂ）は、図４（ａ）の端４ｂ近傍の拡大構成図である。
【００２８】  まず、指で２つのネジ８を緩め、その状態で使用するドライバーチップ７の後端部分７ａが凹部４３に差し込まれる。
【００２９】  その状態で、指でネジ８、８が締め付けられる。その際、図４（ｂ）に示すように、後端部分７ａの六角柱形状の対向する側面７ｂが、それぞれネジ８の先端の平面部分８ａに当接される。このようにネジ８の平面部分８ａでドライバーチップ７の後端部分７ａの側面を挟むようにすることで、ドライバーチップ７の抜け落ち、ガタツキが防止され、安定して固定される。
【００３０】  その後、手の平に、把持部１を当てて、突起部５に指を掛けて回転させる。この時、突起部５に指を引っかけて空回転させるように回したり、突起部５を利用して力を入れて回したりする。突起部５は通常のドライバーの柄の部分よりも直径が大きくなるため、ユーザは小さい力で容易にドライバーチップ７を回転することが出来る。また、指でつまみ部９をつまんで回転させれば、左右に細かく回転させることが出来る。
【００３１】  別の種類のドライバーチップを使用する際には、ネジ８を緩めてドライバーチップ７を取り外し、同じ手順で取り付ければよい。
【００３２】  以上のように、本実施の形態のドライバー回転アシストアダプターを使用することによって、少ない力で簡単にネジを締める又は緩めることが可能となる。
【００３３】  また、本実施の形態では、固定部４及び突起部５は樹脂によって一体的に形成されているため、部品点数が少なくコストをより安くすることが出来る。
【００３４】  また、本実施の形態では、平面部分８ａでドライバーチップ７の後端部分７ａの側面７ｂを挟むように固定しているため、ネジを締めるための回転動作によってドライバーチップ７にかかる力は、ネジ８を介してネジ孔４４の内壁面部分で受けることになる。ここで、本実施の形態では、凹部４３のネジ孔４４が形成されている壁面の厚み（図２（ｃ）中Ｗ参照）を厚くしているため、固定部４及び突起部５を樹脂で形成していてもネジを締め付ける際にネジ孔４４の壁面にかかる力に十分耐えることが出来る。
【００３５】  （実施の形態２）
次に、本発明にかかる実施の形態２のドライバー回転アシストアダプターについて説明する。本実施の形態２のドライバー回転アシストアダプターは、実施の形態１と基本的な構成は同じであるが、本発明のドライバー部材の一例としてドライバーチップでなはく柄を有するドライバーを使用するためドライバー部材を装着する装着部の構成が異なっている。そのため、本相違点を中心に説明する。尚、実施の形態１と同様の構成については、同一の符号を付している。
【００３６】  図５は、本発明にかかる実施の形態２のドライバー回転アシストアダプターの斜視構成図である。又、図６（ａ）、（ｂ）、（ｃ）、（ｄ）は、本実施の形態２の軸ドライバー間接続部の正面構成図、上面構成図、底面構成図、及び側面構成図である。本実施の形態２では、本発明のドライバー部材の一例として柄１２ａを有するドライバー１２が使用される。このため、図５及び図６に示すように、本実施の形態２の軸ドライバー間接続部１１では、実施の形態１の軸ドライバー間接続部３の凹部４３と比較して、ドライバー部材を挿入する凹部１３が大きくなる。尚、本実施の形態２では、孔４０の先端に設けられている孔４０ａが、凹部１３まで届いており、図６（ｃ）に示すように凹部１３側まで貫通しているが、凹部１３側まで貫通していなくてもよい。また、軸２の先端部２ａが形成されていない場合には、孔４０ａが設けられていなくても良い。
【００３７】  この凹部１３は、市販されているドライバーを差し込むことが出来るような形状にすればよく、本実施の形態では角にアールが形成されている四角形状に形成されている。この凹部１３の対向する内壁面には、実施の形態１と同様に固定部４の側面からネジ孔４４が形成されている。そして、これら２つのネジ孔４４と螺合する２つのネジ８の先端の平面部分８ａによって挟まれて、凹部１３に差し込まれた柄１２ａが固定される。
【００３８】  次に、本実施の形態２のドライバー回転アシストアダプターに、実施の形態１のドライバーチップ７を用いる場合について説明する。
【００３９】  図７（ａ）は、本実施の形態２のドライバー回転アシストアダプターにドライバーチップ７を用いる際に使用される装着補助具１４の斜視構成図であり、図７（ｂ）は、装着補助部１４の平面構成図である。図７（ａ）、（ｂ）に示すように、装着補助具１４は、凹部１３に対応した形状であり、角にアールが形成されている直方体形状である。そして、装着補助具１４には、ドライバーチップ７の後端部分７ａが挿入される凹部１４１が形成されている。この凹部１４１は六角柱形状の空間であり、後端部分７ａの六角柱形状に対応している。そして、装着補助具１４の対向する側面のそれぞれから凹部１４１に向けて貫通孔１４２が形成されている。この２つの貫通孔１４２は、凹部１４１の内側面に垂直に形成されている。尚、この装着補助具１４は金属で形成されているが、樹脂で形成してもよい。又、凹部１４１が、本発明の挿入部の一例に相当する。
【００４０】  次に、ドライバーチップ７の装着方法について説明する。
【００４１】  図８（ａ）は、本実施の形態２のドライバー回転アシストアダプターに装着補助具を用いてドライバーチップを取り付けた状態を示す斜視構成図である。また、図８（ｂ）は、ネジ孔４４と貫通孔１４２の配置を示すための装着補助具近傍の拡大図である。
【００４２】  図８（ａ）、（ｂ）に示すように、装着補助具１４は、その貫通孔１４２がネジ孔４４と同軸で連通するように凹部１３に挿入される。また、装着補助具１４の凹部１４１にドライバーチップ７の後端部分７ａが挿入される。そして、２つのネジ孔４４に挿入された２つのネジ８が、それぞれの貫通孔１４２を介してドライバーチップ７を押圧し、ドライバーチップ７が固定される。尚、ネジ８はネジ孔４４と螺合するため貫通孔１４２にはネジ山を形成しなくてもよい。
【００４３】  以上のように本実施の形態２のドライバー回転アシストアダプターでは、柄付きのドライバーだけでなく、ドライバーチップに対しても適用可能である。
【実施例１】
【００４４】  本実施例１では、上記実施の形態２のドライバー回転アシストアダプターを製造する際の具体的な寸法の一例について述べる。【００４５】  図９は、本実施例１のドライバー回転アシストアダプターの具体的な寸法を記載した斜視構成図である。図に示すように、突起部５（５１、５２、５３、５４）の高さＨ１は、６．５ｍｍに設定されている。突起部５で形成される十字形状の幅Ｈ２は、４５ｍｍに設定されており、最大５５ｍｍに設定することが出来る。又、固定部４の幅Ｈ４は、２１ｍｍ〜２３ｍｍに設定されており、最大３２ｍｍに設定することが出来る。尚、上記Ｈ１は、十字形状の幅Ｈ２と固定部４の幅Ｈ４の長さによって適宜変更可能である。また、市販のドライバー１２の柄１２ａの最大の幅Ｈ３は１６ｍｍとなり、大きいドライバーを用いる場合で最大２２ｍｍとなる。このドライバー１２の柄１２ａの幅Ｈ３の大きさによって、上記Ｈ１、Ｈ２、Ｈ４は変更可能である。【００４６】  以上のように、突起部５の幅Ｈ２は通常のドライバー１２の柄１２ａの幅Ｈ３よりも直径が大きくなるため、ユーザは小さい力で容易にドライバーチップ７を回転することが出来る。【００４７】  尚、上記実施の形態２では、ドライバー１２を使用するため、ネジ８が挿入されるネジ孔４４が形成されている部分の厚みが、実施の形態１よりも薄くなるが、図１０に示すドライバー回転アシストアダプターのように、ネジ８を挿入するネジ孔を形成する部分に補強部１５を設けてネジ孔４４´を形成する部分の厚み（図中Ｗ´参照）を大きくしても良い。尚、この場合、補強部１５も固定部４及び突起部５とともに樹脂によって一体的に形成される方が好ましい。【００４８】  更に、図１１に示すように、突起部５１´及び突起部５２´を固定部４の端４ｂまで形成し、突起部５１´、５２´を通してネジ孔４４´´を形成してもよい。この場合も突起部５１´、５２´の分厚みが増すため、ネジ孔４４´´を形成している部分の厚み（図中ｗ´´）が増し、強度も増す。尚、これら図１０及び図１１の構成は、実施の形態１にも適用可能である。【００４９】  尚、上記実施の形態では、ドライバーチップ７を用いていたが、ソケットアダプターを用いてもよい。このソケットアダプターは、一方の端の断面形状が、後端部分７ａと同様の六角形状であり、他方の端にはドライバーチップ接続用のアダプターが接続出来るものである。このソケットアダプターを用いることで、大小のプラスドライバー、大小のマイナスドライバー、数種の六角孔様レンチなど、様々な形態のものを用いることが出来る。【００５０】  また、上記実施の形態では、把持部１と軸ドライバー間接続部３、１１の間隔は一定であるが、変更可能な構成としてもよい。例えば実施の形態１を用いて説明すると、図１２の軸ドライバー間接続部３の正面図に示すように、ネジ孔４１の端４ａ側にネジ孔１４１を更に設ければよい。このように軸２を固定する位置を、上のネジ孔１４１又は下のネジ孔４１の位置に変更することが出来、把持部１の高さを調節することが可能となる。このとき、ネジ孔１４１は１つでもよいが、図１２に示すようにネジ孔１４１を対向するように２つ設けてもよく、より強く固定することが出来る。【００５１】  尚、上記実施の形態では、つまみ部９が設けられていたが、必ずしも設けられていなくてもよい。【００５２】  また、上記実施の形態では、ドライバーチップ７又はドライバー１２を固定するためにネジ８を２つ用いていたが、１つ又は３つ以上であってもよい。
【産業上の利用可能性】
【００５３】  本発明のドライバー回転アシストアダプター及びそれに用いる装着補助具によれば、よりコストを安くすることが可能な効果を有し、ドライバーの回転をアシストする工具等として有用である。
【符号の説明】
【００５４】１  把持部
２  軸
３、１１  軸ドライバー間接続部
４  固定部
５、５１、５２、５３、５４  突起部
６  ネジ
７  ドライバーチップ
８  ネジ
９  つまみ部
１０  装着部
１２  ドライバー
１３、４３  凹部
４１、４４  ネジ孔
【図１】
2011255487.tif 000003
【図２】
2011255487.tif 000004
【図３】
2011255487.tif 000005
【図４（ａ）】
2011255487.tif 000006
【図４（ｂ）】
2011255487.tif 000007
【図５】
2011255487.tif 000008
【図６】
2011255487.tif 000009
【図７】
2011255487.tif 000010
【図８（ａ）】
2011255487.tif 000011
【図８（ｂ）】
2011255487.tif 000012
【図９】
2011255487.tif 000013
【図１０】
2011255487.tif 000014
【図１１】
2011255487.tif 000015
【図１２】
2011255487.tif 000016